(57)【要約】【課題】  励起光波長を変えることなく同一光源を治療および蛍光診断に利用できる。【解決手段】  光感受性物質を励起し活性化酸素を発生させて病巣を破壊する治療を行い、励起した光感受性物質からの蛍光をとらえて病巣を診断するようにした蛍光診断治療装置であって、光感受性物質を励起する光を発生する励起光源６０と、励起光源６０からの励起光のうち励起波長帯域以外の成分を除去するスペクトル整形手段６２とを備え、スペクトル整形手段６２を励起光源６０からの光路上に設置した状態で診断し、スペクトル整形手段６２を励起光源６０から光路上に設置しない状態で治療を行うようにした。これにより、励起光波長を変えることなく同一光源を治療および蛍光診断に利用できる。【選択図】  図１
2006000666.tif 000002
【特許請求の範囲】
【請求項１】
光感受性物質を励起し活性化酸素を発生させて病巣を破壊する治療を行い、励起した光感受性物質からの蛍光をとらえて病巣を診断するようにした蛍光診断治療装置であって、光感受性物質を励起する光を発生する励起光源と、前記励起光源からの励起光のうち励起波長帯域以外の成分を除去するスペクトル整形手段とを備え、前記スペクトル整形手段を励起光源からの光路上に設置した状態で診断し、前記スペクトル整形手段を励起光源から光路上に設置しない状態で治療を行うようにしたことを特徴とする蛍光診断治療装置。
【発明の詳細な説明】
【技術分野】
【０００１】
この発明は、自家蛍光の観察あるいは病巣部に親和性を持ち、かつ特定の光を照射することにより蛍光発光する光感受性物質を利用した蛍光観察により病巣部の診断を行う蛍光診断治療装置に関するものである。
【背景技術】
【０００２】
近年、電子医療技術の進歩にともなってレーザ光を用いた自家蛍光観察による病巣部の診断や、病巣部に親和性を有し、かつ光により励起されることにより蛍光を発光する光感受性物質を利用した蛍光診断が急速に発展しつつある。従来、この光感受性物質を利用した診断装置としては、特許文献１によって開示された、光感受性物質としてヘマトポルフィリン誘導体を用い、レーザ光源としてエキシマレーザを用いて励起されるダイレーザ（以下エキシマ・ダイレーザという）を用いる診断装置がよく知られている。
【０００３】
以下、特許文献１によって開示された従来のレーザ装置を用いた診断装置の診断方法について図面を参照しながら説明する。図２は従来のレーザ装置を用いた診断（治療も兼用）装置の概略構成図を示すものである。図２において、Ａは病巣部、Ｂはその周辺部で、あらかじめ光感受性物質としてヘマトポルフィリン誘導体を吸収させてある。２１は光伝送路、２３は診断に用いる第１のパルス光源と、２４は治療に用いる第２のパルス光源で、いずれもエキシマ・ダイレーザで構成されている。この２つのダイレーザを励起するエキシマレーザは発振波長３０８ｎｍ、パルス幅３０ｎｓ、エネルギーは数ｍＪ〜１００ｍＪの範囲に可変して繰り返し発振する。第１のパルス光源２３の発振波長は４０５ｎｍ、第２のパルス光源２４の発振波長は６３０ｎｍである。２５は第１のパルス光源２３と第２のパルス光源２４とを切換える切換え部、２６は白色パルス光源、２７はテレビカメラ、２８はテレビモニタ、３１はハーフミラー、２９は分光器、３２は像増強管、３６はスペクトラム解析部、３７は表示部である。また、第１のパルス光源２３と第２のパルス光源２４と白色パルス光源２６と像増強管３２とスペクトラム解析部３６の動作はゲートパルス発生器３３で制御される。
【０００４】
以上のように構成された病巣の診断装置で診断を行うときは、診断用の第１のパルス光源２３によって発生させた波長４０５ｎｍのレーザ光を切換え部２５および光伝送路２１を介して病巣部Ａおよびその周辺部Ｂに照射し、波長４０５ｎｍのレーザ光によって励起される波長６３０ｎｍおよび６９０ｎｍの蛍光像をテレビカメラ２７によって撮像し、テレビモニタ２８の画面上に白色パルス光源２６により得られた白色光像と合成して表示し観察する。
【０００５】
また、ハーフミラー３１によって取り出された蛍光像を分光器２９で分光し、スペクトラム解析部３６でスペクトル分析し表示器３７にスペクトラム波形を表示する。診断用の第１のパルス光源２３の波長を４０５ｎｍとしたのは、ヘマトボルフィリン誘導体特有の蛍光を最も効率良く励起することができ、その蛍光波長６３０ｎｍおよび６９０ｎｍとは離れているので散乱光の影響が小さいためである。
【０００６】
一方、蛍光像を観測し病巣部Ａの位置を特定するためには白色パルス光源２６により映し出される白色光像の観察も必要である。その手段として、白色パルス光源２６と診断用の第１のパルス光源２３およびその撮像、解析手段を、制御パルスにより切換え、時分割による交互撮像手段を採用している。
【特許文献１】特公昭６３−９４６４号公報
【発明の開示】
【発明が解決しようとする課題】
【０００７】
しかしながら、従来の構成では、診断に用いる第１のパルス光源と、治療に用いる第２のパルス光源とを備え、第１のパルス光源と第２のパルス光源とを切換え部にて切換えて照射する必要があった。
【０００８】
したがって、この発明の目的は、上記従来の問題点を解決するもので、励起光波長を変えることなく同一光源を治療および蛍光診断に利用できる蛍光診断治療装置を提供することである。
【課題を解決するための手段】
【０００９】
請求項１記載の蛍光診断治療装置は、光感受性物質を励起し活性化酸素を発生させて病巣を破壊する治療を行い、励起した光感受性物質からの蛍光をとらえて病巣を診断するようにした蛍光診断治療装置であって、光感受性物質を励起する光を発生する励起光源と、励起光源からの励起光のうち励起波長帯域以外の成分を除去するスペクトル整形手段とを備え、スペクトル整形手段を励起光源からの光路上に設置した状態で診断し、スペクトル整形手段を励起光源から光路上に設置しない状態で治療を行うようにした。
【発明の効果】
【００１０】
この発明の請求項１記載の蛍光診断治療装置によれば、スペクトル整形手段を励起光源からの光路上に設置した状態で診断し、スペクトル整形手段を励起光源から光路上に設置しない状態で治療を行うようにしたので、励起光波長を変えることなく同一光源を治療および蛍光診断に利用できる。
【発明を実施するための最良の形態】
【００１１】
この発明の実施の形態の蛍光診断治療装置を図１に基づいて説明する。図１において、６０は励起光源、６１は励起光源からの導光路上に設置された回転板、６２は回転板６１取付けられたスペクトル整形手段として用いられる光学フィルタである。この光学フィルタ６２の特性は励起波長帯域の光を透過し、それ以外の波長帯域の光を反射する特性を持っている。６３は回転板６１に空けられた空孔、６４は励起光源からの光路上に光学フィルタ６２を回転させるモータ等の駆動装置である。
【００１２】
上記のように構成された装置により診断および治療を行う。すなわち、腫瘍等病巣Ａに集積しやすい性質をもち、励起されると活性化酸素ならびに蛍光を発生する光感受性物質を生体に与え、その後に光感受性物質を励起し活性化酸素を発生させて病巣を破壊する治療を行い、また励起した光感受性物質からの蛍光を捕らえて病巣を診断する。この際、蛍光観察を行う場合には、光路フィルタ６２が位置するように駆動装置６４を動作させ、励起光源６０からの光が励起波長帯域成分の励起光になるようにスペクトル整形を行う。一方、治療を行う際にはスペクトル整形し光損失を生じるよりも光照射エネルギーが増大するほうが望ましいため、駆動装置６４によって回転板６１を回転させ、空孔６３を光路上に位置させる。この回転板６１を透過した励起光は第１の導光路６５を通じて病巣Ａへ照射される。病巣Ａから蛍光および反射励起光は第２の導光路６６を通り、波長選択手段６７に導かれる。波長選択手段６７では励起波長だけが分離され、蛍光波長を含むその他の光が撮影装置６８によって捕らえられる。撮影装置６８によって捕らえられた画像は画像表示装置６９に表示される。
【００１３】
以上のようにして励起光波長を変えることなく同一光源を治療および蛍光診断に利用できる。
【産業上の利用可能性】
【００１４】
本発明にかかる蛍光診断治療装置は、励起光波長を変えることなく同一光源を治療および蛍光診断に利用できるという効果を有し、光感受性物質を利用した診断治療装置として有用である。
【図面の簡単な説明】
【００１５】
【図１】この発明の実施の形態の蛍光診断治療装置の説明図である。
【図２】従来の蛍光診断装置のブロック図である。
【符号の説明】
【００１６】
６０  励起光源
６１  回転板
６２  光学フィルタ
６３  空孔
６４  モータ
６５  第１の導光路
６６  第２の導光路
６７  波長選択手段
６８  撮影装置
６９  画像表示装置
【図１】
2006000666.tif 000003
【図２】
2006000666.tif 000004